(57)【要約】【課題】使用態様において、配線等の別部材を簡易構成により束ねたり位置規制でき、それにより使い勝手を向上したり、ヒンジ部に起因した外観低下要因をなくして見栄えを向上する。【解決手段】被装着体１０に設けられた開口１２の縁部を覆う保護枠部２と、保護枠部２にヒンジ部４を介し連結されて開口１２を露出した非使用態様から折り曲げられて開口１２を覆った使用態様になるカバー部３とからなり、非使用態様で配線等の別部材９を開口１２ないしは保護枠部内を通って外へ導出した後、カバー部３を使用態様にする保護カバーにおいて、保護枠部２及びカバー部３の少なくとも一方の側部に設けられて別部材９を外へ導くガイド部（８又は３２）と、保護枠部２に設けられて別部材９を束ねたり位置規制する拘束部を有している【選択図】図７
2011036112.tif 000002
【特許請求の範囲】
【請求項１】
被装着体に設けられた開口の縁部を覆う保護枠部と、前記保護枠部にヒンジ部を介し連結されて前記開口を露出した非使用態様から折り曲げられて前記開口を覆った使用態様になるカバー部とからなり、前記非使用態様で配線等の別部材を前記開口ないしは保護枠部内を通って外へ導出した後、前記カバー部を使用態様にする保護カバーにおいて、
前記保護枠部及び前記カバー部の少なくとも一方の側部に設けられて前記別部材を外へ導くガイド部と、前記保護枠部に設けられて前記別部材を束ねたり位置規制する拘束部を有していることを特徴とする保護カバー。
【請求項２】
前記拘束部は、前記開口の真上に突設されている第１拘束部と、前記第１拘束部より外側に突設されて前記ガイド部を兼ねる第２拘束部とを有していることを特徴とする請求項１に記載の保護カバー。
【請求項３】
前記保護枠部及び前記カバー部は、前記ヒンジ部の近傍に設けられて、互いに回転可能に嵌合する軸部及び軸受部の一方を有しており、前記カバー部が前記軸部及び軸受部からなる枢支部を回転中心として折り曲げられることを特徴とする請求項１又は２に記載の保護カバー。
【請求項４】
前記ヒンジ部は、前記非使用態様で前記保護枠部と前記カバー部との内側に立ち上がっているとともに、前記使用態様で前記保護枠部と前記カバー部との間に折り曲げられて目視不能となることを特徴とする請求項１から３の何れかに記載の保護カバー。
【発明の詳細な説明】
【技術分野】
【０００１】
本発明は、被装着部に設けられた開口を覆う保護カバーのうち、特に配線やハーネス等の別部材を被装着部の開口を貫通して内から外へ導出する場合に好適な保護カバーに関する。
【背景技術】
【０００２】
図９は特許文献１に開示の保護カバー（エッジカバー）を使用態様で示している。符号１０は保護カバーを装着する開口を有した被装着体の壁面、符号２は壁面１０の開口の縁部を覆う保護枠部（カバー部）、符号３は保護枠部２にヒンジ部（連結部）３２を介し一体化されているカバー部（押圧部）で、壁面側開口ないしは保護枠部２の挿通孔２１ａを露出した非使用態様から折り曲げられて開口をほぼ覆った使用態様になる押圧体３１を有している。ここで、保護枠部２は、壁面１０の開口に対応した大きさの枠状をなし、下向きに突出されて壁面側開口に嵌合される不図示の挿通部と、挿通部に一体化されて壁面側開口を縁取っている鍔部２２と、壁面側開口に係合される不図示の掛止部とを有している。鍔部２２には片側にスリット２５が設けられている。このスリット２５は、保護枠部２を壁面側開口に前記掛止部を介して装着操作するとき、鍔部２２が少し撓むようにして装着し易くする。カバー部３ないしは押圧体３１は、自由端の両側に突設された掛止体３３を有し、同図のごとく導線材４が壁面１０の下から壁面側挿通孔２１ａを介して外へ配置された後、連結部３２を介して閉じ方向に折り曲げられると、掛止体３３を介して導線材４を上から押さえ付けた状態に係止される。
【先行技術文献】
【特許文献】
【０００３】
【特許文献１】特開平１１−３５５９４０号公報
【発明の概要】
【発明が解決しようとする課題】
【０００４】
上記特許文献１のカバー構造は、保護枠部及び押圧部が一体形成されているため取扱性に優れコスト低減も図り易いが、以下のような問題があり未だ満足できなかった。
（ア）線部材４は、壁面側開口ないしは保護枠部側挿通孔２１ａをカバー部３で覆った使用態様において、押圧体３１により上から軽く押さえ付けられるが、外へ引き出す位置がずれ易いため使い勝手が悪かった。これは、例えば、線部材４が帯状ではなく丸形であったり複数の線材構成の場合だと、位置ずれに加えて互い絡み合ったり不用意に引き出されたり逆に引き戻される事態となる。
（イ）ヒンジ部３２は、押圧体３１と保護枠部側鍔部２２の対応部とを連結している箇所に不図示の横穴を形成することにより折り曲げ容易になっている。このため、この構造では、例えば、線部材４の厚さや径が大きくなるとヒンジ部３２も長くなり、使用態様においてヒンジ部３２が外側へ大きく折り曲げられたり、更に折り曲げ位置も定たまらないことから外観低下要因となる。
（ウ）なお、対象のカバー構造では、使用態様において、壁面側開口ないしは保護枠部側挿通孔２１ａ、両連結部３２の間に設けられた横穴などから塵や埃などが侵入し易いが、そのような侵入を防止し易くする上で好適な構成にしたい。
【０００５】
そこで、本発明の目的は、以上の課題を解消して、使用態様において、配線等の別部材を束ねたり位置規制でき、それにより使い勝手を向上する。また、ヒンジ部に起因した外観低下要因をなくして見栄えを向上することにある。他の目的は以下の内容説明のなかで明らかにする。
【課題を解決するための手段】
【０００６】
上記目的を達成するため請求項１の発明は、被装着体に設けられた開口の縁部を覆う保護枠部と、前記保護枠部にヒンジ部を介し連結されて前記開口を露出した非使用態様から折り曲げられて前記開口を覆った使用態様になるカバー部とからなり、前記非使用態様で配線等の別部材を前記開口ないしは保護枠部内を通って外へ導出した後、前記カバー部を使用態様にする保護カバーにおいて、前記保護枠部及び前記カバー部の少なくとも一方の側部に設けられて前記別部材を外へ導くガイド部と、前記保護枠部に設けられて前記別部材を束ねたり位置規制する拘束部を有していることを特徴としている。
【０００７】
以上の本発明において、「保護枠部」は  被装着体の開口縁部を全体又は部分的に覆ったり縁取りする枠形状となっていればよい。「カバー部」は、保護枠部にヒンジ部を介して連結されて、前記開口（ないしは保護枠部の枠内）をほぼ覆う使用態様において、配線等の別部材を保護枠部との間から外へ導出可能にする形状であればよい。より好ましくは、形態のごとく保護枠部の全体を上から覆い隠すようなカバー形状にすることである。「拘束部」は、別部材に応じた形状にすることが好ましく、例えば別部材が丸形であれば図３の例のごとく略Ω形、帯形であれば図８の入口付きの矩形空間にすることである。
【０００８】
以上の発明は、請求項２〜４のごとく構成することがより好ましいものとなる。即ち、（１）前記拘束部は、前記開口の真上に突設されている第１拘束部と、前記第１拘束部より外側に突設されて前記ガイド部を兼ねる第２拘束部とを有している構成である（請求項２）。この場合、第１拘束部と第２拘束部とは全く異なる形状であったり、逆に形態のごとくほぼ同じ形状に設定してもよい。
（２）前記保護枠部及び前記カバー部は、前記ヒンジ部の近傍に設けられて、互いに回転可能に嵌合する軸部及び軸受部の一方を有しており、前記カバー部が前記軸部及び軸受部からなる枢支部を回転中心として折り曲げられる構成である（請求項３）。この場合、より好ましくは、カバー部の使用態様においてヒンジ部付近から塵や埃が侵入しないように、例えば、形態のごとく軸部及び軸受部からなる枢支部をヒンジ部を挟んだ両側に設けるようにする。
（３）前記ヒンジ部は、前記非使用態様で前記保護枠部と前記カバー部との内側に立ち上がっているとともに、前記使用態様で前記保護枠部と前記カバー部との間に折り曲げられて目視不能となる構成である（請求項３）。
【発明の効果】
【０００９】
請求項１の発明では、配線等の別部材を保護枠部の枠内から外へ導出する際、別部材を保護枠部に設けられている拘束部を利用して位置規制したり、別部材が複数のときは束ねることにより、更にガイド部を介して外へ導出することにより、常に同じ箇所から整った状態で導出されるため、外観及び使い勝手を向上できる。
【００１０】
請求項２の発明では、拘束部として被装着体の開口真上に位置する第１拘束部、外側に設けられたガイド部を兼ねる第２拘束部を有しているため、別部材が２箇所の拘束部によって安定に規制され、その結果、使い勝手と共に信頼性を向上できる。
【００１１】
請求項３の発明では、保護枠部及びカバー部がヒンジ部の近傍に設けられて、互いに回転可能に嵌合する軸部及び軸受部の一方を有し、カバー部が軸部及び軸受部からなる枢支部を支点として回転されるため、ヒンジ部の折り曲げ状態も安定し、その結果、使用態様における外観特性を良好にしたり、形態のごとく使用態様においてヒンジ部付近から塵や埃が侵入しないようにし易くできる。
【００１２】
請求項４の発明では、カバー部の使用態様において、ヒンジ部が保護枠部とカバー部との間に折り曲げられて目視不能となるため、外観特性及び品質を更に向上できる。
【図面の簡単な説明】
【００１３】
【図１】形態の保護カバーを使用態様で示す平面図である。
【図２】（ａ）は図１のＡ−Ａ線断面図、（ｂ）はＢ−Ｂ線断面図、（ｃ）はＣ−Ｃ線断面図、（ｄ）はＤ−Ｄ線断面図である。
【図３】上記保護カバーを成形したままの状態で示し、（ａ）は上面図、（ｂ）は側面図である。
【図４】上記保護カバーを成形後に軸部を軸受部に嵌合した状態で示し、（ａ）は上面図、（ｂ）は側面図である。
【図５】保護枠部をヒンジ部及び枢支部を介しカバー部上に折り曲げた保護カバー状態で示し、（ａ）は上面図、（ｂ）は側面図、（ｃ）はＥ−Ｅ線拡大断面図である。
【図６】（ａ）は上記ヒンジ部付近を図３の状態で示す拡大斜視図、（ｂ）は上記ヒンジ部付近を図４の状態で示す拡大斜視図である。
【図７】上記保護カバーを被装着部に取り付ける際の操作要領を示し、（ａ）は装着前状態を示す模式図、（ｂ）は装着状態を示す模式図である。
【図８】変形例を示し、（ａ）は図３（ａ）に対応して示す上面図、（ｂ）はＦ部の拡大図である。
【図９】特許文献１のカバー構造を使用態様で示す説明図（文献の図４）である。
【発明を実施するための形態】
【００１４】
以下、本発明の好ましい実施の形態を図面を参照しながら説明する。この説明では、図１〜図７に示したカバー構造、被装着部側への取付操作、図８に示した変形例の順に詳述する。
【００１５】
（カバー構造）対象の保護カバー１は、樹脂成形品であり、図１と図２及び図７に示されるごとく、被装着体１０の壁面１１に設けられた開口１２に適用されて、開口１２の縁部を覆う保護枠部２と、保護枠部２にヒンジ部４を介し連結されたカバー部３とからなり、保護枠部２が壁面１１に対し開口１２を縁取るよう取り付けられて、開口１２を露出したカバー部３の非使用態様で配線等の別部材９を開口１２ないしは保護枠部２の枠内を通って外へ導出した後、カバー部３がヒンジ部４を介して保護枠部２側に折り曲げられて使用態様に切り換えられるタイプである。
【００１６】
工夫点は、特に、保護枠部２及びカバー部３がヒンジ部４と共に、軸部２５及び軸受部３５からなる枢支部５を介して回転可能に連結される構成、保護枠部２及びカバー部３の少なくとも一方の側部に設けられて別部材９を外へ導くガイド部（この例では凹部３２又は／及び拘束部８）、及び保護枠部２に設けられて開口１２を貫通した別部材９を束ねたり位置規制する拘束部７を有した構成にある。以下、これらの細部を明らかにする。
【００１７】
まず、保護枠部２は、対向している長片２０ａ，２０ａ及び短片２０ｂ，２０ｃにより開口１２に対応した略矩形状の枠体２０を区画していて、穴である枠内２１が開口１２内に連通する。両側の長片２０ａには、各外側面にあって、側面下縁に沿って突出された複数の挟持片２２と、各挟持片２２の上側を欠肉した複数の凹部２６と、凹部２６同士の間及びヒンジ部４から離れる側の凹部２６と自由端との間にそれぞれ位置して上向きに突出している突片２３，２４と、各突片２３，３４の外面に突出されている凸部２３ａ，２４ａとが設けられている。ヒンジ部側短片２０ｂには、ヒンジ部４の左右位置からカバー部３側へ突出されている略Ｌ形アームの側面から幅方向へ突出している軸部２５が設けられている。端部側短片２０ｃは、短片２０ｂより長くなっていて、枠内２１ないしは開口１２の真上に突設されている拘束部７と、自由端側つまり枠内２１ないしは開口１２から離れる側に突設されているガイド部を兼ねる拘束部８と、下面に突設されている突起２９とを有している。両側の長片２０ａは、突片２３の前後、及び突片２４の前後、自由端側凹部２６と短片２０ｃとの間が最大寸法の板幅部分に設定され、かつ、下側の各挟持片２２との間に所定の間隔を保った状態となっている。
【００１８】
短片２０ｂは、左右中間が凹所２７に形成され、該凹所２７の両側にアーム部２６を突出している。ヒンジ部４は、凹所２７と後述するカバー部３側の凹所３７との間に設けられて、内側に立ち上がっている。すなわち、このヒンジ部４は、凹所２７の端側に対し薄肉部２８ａを介して連結された保護枠部側の突片部２８と、カバー部の凹所３７の端部に薄肉部３８ａを介して連結され、かつ突片部２８と薄肉部４０を介して連結されているカバー部側の突片部３８とで構成されている。
【００１９】
拘束部７は、本発明の第１拘束部に対応しており、略Ω形に形成されていると共に枠内２１に略水平に突出されている。拘束部８は、本発明の第２拘束部と共にガイド部としても機能するもので、略Ω形に形成されていると共に斜め上向きに突出されている。これらは、別部材９が丸形タイプを想定したもので、拘束部７の穴７ａと拘束部（あるいはガイド部）８の穴８ａは何れも略丸形であり、また、穴７ａの入口ないしは切り込みは、穴８ａの方より大きく開口形成されている。
【００２０】
これに対し、カバー部３は保護枠部２に対応した大きさの略舌状に形成されている。内面３０には、端部側を一段低くした内凹部３０ａが設けられている。外面３１には、自由端側を一段低くした外凹部３１ａが設けられている。また、内面３０は、自由端側の中間縁を切り欠いて内凹部３０ａに通じているガイド部３２と、突片２３，２４に対応して突設された突片３３，３４と、各突片３３，３４に設けられて凸部２３ａ，２４ａと係合する穴部３３ａ，３４ａと、各凹部２６と係合する合計４つの凸部３６とを有している。符号３９は突片３３，３４の内側に突設されている突壁であり、カバー部３を折り曲げた使用態様で開口１２の内側端面に当接する。ヒンジ側の端部は、左右中間が凹所３７に形成されており、凹所３７のヒンジ部から離れる側を区画して一段高くなっている規制突部３７ａと、凹所３７の両側から保護枠部２に向けて突設されている軸受部３５とを有している。規制突部３７ａは、カバー部３の使用態様で保護枠部２の枠内２１の対応内側端面に当接する。軸受部３５は、軸部２５と共に枢支部５を構成しており、軸部２５と嵌合する軸孔を有している。
【００２１】
そして、以上の保護カバー１は、図３及び図６（ａ）のごとく成形された状態から、図４及び図６（ｂ）のごとく両側の軸部２５が対応する軸受部３５の軸孔に内から外向きに差し込まれることにより、カバー部３が保護枠部２に対し軸部２５及び軸受部３５からなる枢支部５を支点として回転可能となる。この状態ではヒンジ部４が少しだけ保護枠部２側へ傾く。
【００２２】
（被装着部側への取付操作）以上の保護カバー１は、図７に示されるごとく被装着体１０の壁面１１に対しワンタッチ操作により取り付けられる。なお、被装着体１０としては、液晶テレビバックライトハウジングを想定しているが、例えば、各種電気機器類の対応部、装置や机又はテーブルの対応部でもよい。別部材９は、そのバックライトハウジングの壁面１１に設けられてバックライト用ＬＥＤに接続されるハーネスを想定している。壁面１１には、細長い矩形の開口１２と、開口１２の両内側に設けられている合計４つの凹状の逃げ部１３と、開口１２から所定距離だけ離れた箇所に設けられている係止孔１４とが設けられている。勿論、別部材９は配線類に限らず、例えばホース等の管部材でもよい。
【００２３】
取付操作要領は次の通りである。保護カバー１は、保護枠部２が壁面１１に対し図７に示したごとく各挟持片２２を対応する逃げ部１３に合わせて開口１２内に挿入した状態で、図７（ａ）に示したごとく矢印方向、つまり係止孔１４が設けられている方向に少し移動されると、開口１２の両側縁部が上記した最大寸法の板幅部分と各挟持片２２との間に挟持され、かつ、係止孔１４に対する突起２９の係合により装着される。
【００２４】
また、別部材９は、例えば、開口１２内から引き出した後、拘束部７の内側、更に拘束部８の内側に通して外へ導出操作される。その後、保護カバー１は、カバー部３が枢支部５を介し保護枠部２と重なるよう回転操作される。すると、カバー部３は、図２のごとく非使用態様から、保護枠部２に対し、突片３３，３４の穴部３３ａ，３４ａと突片２３，２４の凸部２３ａ，２４ａの係合と、凸部３６と凹部２６の係合（図５を参照）、つまり合計８箇所の係合により一体的に重ねられて使用態様に切り換えられる。使用態様では、図２（ａ）のごとく拘束部８がカバー部３に押圧されて傾きを小さくなるよう変形すること、別部材９は拘束部８、拘束部７（あるいはガイド部７）、カバー部側ガイド部となる凹部３２を通って外へ導出される。また、ヒンジ部４は、カバー部３の非使用態様において保護枠部２とカバー部３との内側に立ち上がっている状態から、図５（ｃ）のごとくカバー部３が使用態様に切り換えられると、保護枠部２とカバー部３との間、要は凹所２７と凹所３７とで区画される空間に折り畳まれて目視不能となる。
【００２５】
以上の保護カバー１にあっては、別部材９を保護枠部２の枠内から外へ導出する際、保護枠部側の拘束部７，８（あるいは拘束部７とガイド部８として捉えることも可能である）を利用して位置規制したり、別部材９が複数構成の場合はそれらを束ねることにより、更にガイド部８を介して外へ導出することにより、常に同じ箇所から整った状態で導出されるため、外観及び使い勝手を向上でき、また別部材９が拘束部７及び拘束部（ガイド部）８で拘束されているため不用意に引き出されたり引き込まれるという虞も解消できる。しかも、このカバー構造では、カバー部３が軸部２５及び軸受部３５からなる枢支部５を支点として回転されるため、ヒンジ部４が目視されないだけではなく、折り曲げ状態も安定し、その結果、使用態様における外観特性を良好にしたり、この例のごとくヒンジ部４付近から塵や埃が侵入しないようにし易くでき、その点からも優れている。
【００２６】
（変形例）図８は以上の各拘束部あるいは拘束部とガイド部の形状を変更した一例を示している。すなわち、この変形例においても、拘束部７０は本発明の第１拘束部に対応しており、略矩形の枠状に形成されている。拘束部（あるいはガイド部）８０は本発明の第２拘束部と共にガイド部としても機能し、略矩形の枠状に形成されている。これらは、別部材９が帯状タイプを想定したもので、拘束部７０の穴７０ａと拘束部（あるいはガイド部）８０の穴８０ａは何れも枠状であり、また、穴７０ａ，８０ａの入口ないしは切り込みは適宜な隙間に形成されている。
【００２７】
なお、本発明は、以上の形態及び変形例に制約されるものではなく、請求項で特定される技術要素を備えておればよく、細部についてはこれをベースにして展開可能なものである。
【符号の説明】
【００２８】
１…保護カバー
２…保護枠部（２３ａ，２４ａは凸部、２６は凹部、２９は突起、２７は凹所）
３…カバー部（３３ａ，３４ａは穴部、３６は凸部、３７は凹所）
４…ヒンジ部（２８と３８は突片部、２８ａ，３８ａ，４０は薄肉部）
５…枢支部（２５は軸部、軸受部３５）
７，７０…拘束部（第１拘束部に相当し、７ａと７０ａは穴）
８，８０…拘束部（第２拘束部又はガイド部に相当し、８ａと８０ａは穴）
３２…凹部（ガイド部に相当）
９…別部材
【図１】
2011036112.tif 000003
【図２】
2011036112.tif 000004
【図３】
2011036112.tif 000005
【図４】
2011036112.tif 000006
【図５】
2011036112.tif 000007
【図６】
2011036112.tif 000008
【図７】
2011036112.tif 000009
【図８】
2011036112.tif 000010
【図９】
2011036112.tif 000011